(57)【要約】【課題】  金属製でありながら軽量であり、頑丈で、また、リサイクル可能な組み立てコンテナを提供する。【解決手段】  床パネル１と、天井パネル２と、壁パネル３ａ〜３ｄとの６つのパネルから組み立てコンテナを構成する。床パネル１、天井パネル２、壁パネル３ａ〜３ｄは、重量が重くならずに頑丈な構造となるように、鋼材を使用して枠部材を構成し、この枠部材に金属板のパネル材を配設するように構成する。天井パネル２には、合成デッキプレートに使用されている波形のプレートを使用する。壁パネル３ａ〜３ｄには、波形のキーストーンプレートを使用する。床パネル１と、天井パネル２、壁パネル３ａ〜３ｄとは全て金属製であり、分解、組み立てが容易なように、ボルトで固着する構造とする。【選択図】        図１
0003134779.tif 000002
【実用新案登録請求の範囲】
【請求項１】
床パネルと、天井パネルと、壁パネルとからなり、
前記床パネルは、外周枠を構成する鋼材の床枠部材と、前記床枠部材により支持される床パネル部材とを含み、
前記天井パネルは、外周枠を構成する鋼材の天井枠部材と、前記天井枠部材により支持される波形鋼板の天井パネル部材とを含み、
前記壁パネルは、外周枠を構成する鋼材の壁枠部材と、前記壁枠部材により支持される波形鋼板の壁パネル部材とを含み、
前記床パネルと、前記天井パネルと、前記壁パネルとを個々に形成し、それらをボルトで連結して組み立てたことを特徴とする組み立てコンテナ。
【請求項２】
前記床パネルの外周枠を構成する床枠部材として、コ字形断面の鋼材を使用することを特徴とする請求項１に記載の組み立てコンテナ。
【請求項３】
前記床パネルの下面に、所定間隔で底鋼材を配設することを特徴とする請求項１乃至２の何れかに記載の組み立てコンテナ。
【請求項４】
前記天井パネルの外周枠を構成する天井枠部材として、コ字形断面の鋼材を使用することを特徴とする請求項１乃至３の何れかに記載の組み立てコンテナ。
【請求項５】
前記天井パネルの天井パネル部材の端を斜めに切断した形状にしたことを特徴とする請求項１乃至４の何れかに記載の組み立てコンテナ。
【請求項６】
前記壁パネルの外周枠を構成する壁枠部材として、Ｌ字形断面の鋼材を使用することを特徴とする請求項１乃至５の何れかに記載の組み立てコンテナ。
【請求項７】
前記壁パネルに、補強用のブレースを設けるようにしたことを特徴とする請求項１乃至６の何れかに記載の組み立てコンテナ。
【考案の詳細な説明】
【技術分野】
【０００１】
本考案は、輸出品の梱包等に用いられる組み立てコンテナに関するもので、特に、金属製の組み立てコンテナに係わる。
【背景技術】
【０００２】
輸出品の梱包には、輸出用のコンテナが用いられている。このような輸出用のコンテナは、輸出品が壊れることのないように頑丈であることを要求される。また、輸出用のコンテナは、フォークリフトによりコンテナ船に船積みされる。このため、コンテナ自体の重量は軽量であることが望まれる。さらに、コンテナをリサイクルでき、環境に悪影響を与えないようにすることが望まれる。
【０００３】
従来のこのような輸出用のコンテナは、例えば特許文献１に示されるように、木材を主体にした構成のものが使用されてきている。しかしながら、木材に害虫が付着している場合があり、木材を主体にした構成のコンテナを使用すると、輸出先の国に害虫をばらまいてしまう可能性がある。このため、木材を主体にしたものに代わり、金属製（例えばスチール製）のコンテナを使用することが推奨されている。
【特許文献１】特開平８−９１３７３号公報
【考案の開示】
【考案が解決しようとする課題】
【０００４】
しかしながら、金属製のコンテナは重量があり、また、コストが高くなる。このため、全面的に金属製としたコンテナの普及は進んでいない。また、従来の全面的に金属製としたコンテナは、分解、組み立てが困難であり、資源のリサイクルが難しい。
【０００５】
本考案は、上述の課題を鑑み、金属製でありながら軽量であり、頑丈で、また、リサイクル可能な組み立てコンテナを提供することを目的とする。
【課題を解決するための手段】
【０００６】
上述の課題を解決するために、本考案の組み立てコンテナは、床パネルと、天井パネルと、壁パネルとからなり、床パネルは、外周枠を構成する鋼材の床枠部材と、床枠部材により支持される床パネル部材とを含み、天井パネルは、外周枠を構成する鋼材の天井枠部材と、天井枠部材により支持される波形鋼板の天井パネル部材とを含み、壁パネルは、外周枠を構成する鋼材の壁枠部材と、壁枠部材により支持される波形鋼板の壁パネル部材とを含み、床パネルと、天井パネルと、壁パネルとを個々に形成し、それらをボルトで連結して組み立てたことを特徴とする。
【０００７】
好ましくは、床パネルの外周枠を構成する床枠部材として、コ字形断面の鋼材を使用することを特徴とする。
【０００８】
好ましくは、床パネルの下面に、所定間隔で底鋼材を配設することを特徴とする。
【０００９】
好ましくは、天井パネルの外周枠を構成する天井枠部材として、コ字形断面の鋼材を使用することを特徴とする。
【００１０】
好ましくは、天井パネルの天井パネル部材の端を斜めに切断した形状にしたことを特徴とする。
【００１１】
好ましくは、壁パネルの外周枠を構成する壁枠部材として、Ｌ字形断面の鋼材を使用することを特徴とする。
【００１２】
好ましくは、壁パネルに、補強用のブレースを設けるようにしたことを特徴とする。
【考案の効果】
【００１３】
本考案によれば、床パネルと、天井パネルと、壁パネルとからなり、床パネルは、外周枠を構成する鋼材の床枠部材と、床枠部材により支持される床パネル部材とを含み、天井パネルは、外周枠を構成する鋼材の天井枠部材と、天井枠部材により支持される波形鋼板の天井パネル部材とを含み、壁パネルは、外周枠を構成する鋼材の壁枠部材と、壁枠部材により支持される波形鋼板の壁パネル部材とを含み、床パネルと、天井パネルと、壁パネルとを個々に形成し、それらをボルトで連結して組み立てたるようにしているので、軽量で、必要な強度が確保できると共に、分解、組み立てが容易であり、リサイクルが可能である。
【００１４】
本考案によれば、床パネルの外周枠を構成する床枠部材として、コ字形断面の鋼材を使用しているので、床パネルと壁パネルとを、ボルトにより容易に連結できる。
【００１５】
本考案によれば、床パネルの下面に、所定間隔で鋼材を配設しているので、フォークリフトの爪を入れることができる。
【００１６】
本考案によれば、天井パネルの外周枠を構成する天井枠部材として、コ字形断面の鋼材を使用しているので、天井パネルと壁パネルとを、ボルトにより容易に連結できる。
【００１７】
本考案によれば、天井パネルの天井パネル部材の端を斜めに切断した形状に処理しているので、雨水が貯まるのを回避できる。
【００１８】
本考案によれば、壁パネルの外周枠を構成する壁枠部材として、Ｌ字形断面の鋼材を使用しているので、床パネルと、壁パネルと、天井パネルとを、ボルトにより容易に連結できる。
【００１９】
本考案によれば、壁パネルに、補強用のブレースを設けるようにしているので、必要な強度が確保できる。
【考案を実施するための最良の形態】
【００２０】
以下、本考案の実施形態について図面を参照しながら説明する。図１は本考案の実施形態の組み立てコンテナの斜視図を示すものである。図２（Ａ）〜図２（Ｃ）は、それぞれ本考案の実施形態の組み立てコンテナの平面図、正面図、側面図を示すものである。図２（Ａ）〜図２（Ｃ）も示すように、本考案の実施形態の組み立てコンテナは、床パネル１と、天井パネル２と、壁パネル３ａ〜３ｄとの６つのパネルから構成されている。これら床パネル１、天井パネル２、壁パネル３ａ〜３ｄは全て金属製（例えばスチール製）である。
【００２１】
また、これら床パネル１、天井パネル２、壁パネル３ａ〜３ｄは、重量が重くならずに頑丈な構造となるように、鋼材を使用して枠部材を構成し、この枠部材に金属板のパネル材を配設するように構成されている。枠部材としては、コ字形断面の鋼材や、Ｌ字形断面の鋼材、Ｈ字形断面の鋼材が使用される。
【００２２】
また、天井パネル２には、合成デッキプレートに使用されている波形鋼板のプレートが使用される。また、壁パネル３ａ〜３ｄには、波形の鋼板のキーストーンプレートが使用される。
【００２３】
これら床パネル１、天井パネル２、壁パネル３ａ〜３ｄは全て金属製であり、分解、組み立てが容易なように、ボルトで固着する構造となっている。
【００２４】
図３は、床パネル１の構成を示すものである。床パネル１は、図３に示すように、床枠部材１１に、床パネル部材１２を載置して構成される。床枠部材１１は、図３に示すように、床パネル１の４辺の外周枠を構成する鋼材１５ａ〜１５ｄと、この間に格子状に配設される床鋼材１６ａ〜１６ｋとからなる。各鋼材との間は、ネジを使って連結されている。外周枠を構成する鋼材１５ａ〜１５ｄとしては、コ字形断面の鋼材が用いられる。鋼材１５ａ〜１５ｄには、複数のネジ孔１９が形成されている。格子状に配設される床鋼材１６ａ〜１６ｋとしては、コ字形断面の鋼材や、Ｌ字形断面の鋼材、Ｈ字形断面の鋼材等が適宜用いられる。
【００２５】
なお、床パネル１の構成は、荷の重量及び荷のサイズを考慮した構造計算によって決定され、これに応じて、格子状に配設される床鋼材１６ａ〜１６ｈの構成や本数、床パネル部材１２の厚さ等が決められる。
【００２６】
各鋼材間でネジを使った連結は、例えば、以下のようにして行われる。図４は、鋼材１５ａと鋼材１５ｄ間をボルトで連結する一例である。図４に示すように、鋼材１５ａと鋼材１５ｄとが直角に配設される。この鋼材１５ａ及び１５ｄに対して、Ｌ字形の止め金部材５１が用意される。止め金部材５１には、ネジ孔５３ａ及び５３ｂが形成されている。また、鋼材１５ａ及び鋼材１５ｂには、ネジ孔５４ａ及び５４ｂが形成される。鋼材１５ａと鋼材１５ｂに対して、止め金部材５１が当てられ、ボルト５５ａ及び５５ｂにより、鋼材１５ａと鋼材１５ｂとが連結される。本明細書で、「ボルトで連結する」と言うときにはボルトとナットを用いて連結することを意味する。他の鋼材の連結についても、同様に行うことができる。
【００２７】
なお、上述の例では、各鋼材間を止め金部材５１を用いてボルトで連結しているが、各鋼材間を直接ボルトで固定してもよい。
【００２８】
また、図３に示すように、床パネル１の下方には、所定間隔で、底鋼材１８が配設される。床パネル１材の下面に、このように底鋼材１８を所定間隔に配設することで、フォークリフトの爪を入れることができるようにすると共に、重量を重くすることなく、頑丈な構造となるようにしている。
【００２９】
図５は、天井パネル２の構成を示すものである。天井パネル２は、図５に示すように、天井枠部材２１に、天井パネル部材２２を配置して構成される。天井枠部材２１は、図５に示すように、４辺の外周枠を構成するコ字形断面の鋼材２５ａ〜２５ｄと、この間に格子状に配設される鋼材２６ａ〜２６ｃとからなる。鋼材２５ａ〜２５ｄには、複数のネジ孔２９が形成されている。各鋼材との間は、ボルトを使って連結されている。外周枠を構成する鋼材２５ａ〜２５ｄとしては、コ字形断面の鋼材が用いられる。格子に配設される鋼材２６ａ〜２６ｃとしては、コ字形断面の鋼材や、Ｌ字形断面の鋼材、Ｈ字形断面の鋼材等が適宜用いられる。
【００３０】
天井パネル部材２２としては、波形の形状の鋼板のパネル部材が用いられている。ここでは、天井パネル部材２２としては、例えば、合成デッキプレートに使用されている波形のプレートを使用している。また、図６に示すように、天井パネル部材２２の端部２２ａ及び２２ｂは、斜めに切断されている。これにより、雨水が天井パネルに貯まらないようにしている。
【００３１】
図７は、長辺側の壁パネル３ａ及び３ｃの構成を示すものである。長辺側の壁パネル３ａ及び３ｃは、図７に示すように、壁枠部材３１に、壁パネル部材３２を固定して構成される。さらに、図２壁パネル３ａ及び３ｃは、図２（Ｂ）に示すように、対角線状にブレース３４を配設することにより、補強されている。壁枠部材３１は、４辺の外周枠を構成するＬ字形断面の鋼材３５ａ〜３５ｄとから構成される。鋼材３５ａ〜３５ｄには、複数のネジ孔３９が形成されている。鋼材３５ａ〜３５ｄはボルトで連結される。壁パネル部材３２としては、波形の形状の鋼板のパネル部材が用いられている。ここでは、壁パネル部材３２として、波型キーストーンプレートを使用している。
【００３２】
このように、本考案の実施形態では、壁パネル３ａ及び３ｃは、４辺の鋼材３５ａ〜３５ｄからなる壁枠部材３１に、壁パネル部材３２を固定して構成されており、４辺の外周枠の鋼材３５ａ〜３５ｄの他、余分な部材を用いることがないようにして、軽量化を図っている。そして、壁パネル部材３２として、キーストーンプレートを用いることで、必要な強度を確保するようにしている。
【００３３】
図８は、短辺側の壁パネル３ｂ及び３ｄの構成を示すものである。短辺側の壁パネル３ｂ及び３ｄは、図８に示すように、壁枠部材４１に、壁パネル部材４２を固定して構成される。さらに、必要に応じて、対角線状にブレースを配設して、補強することができる。壁枠部材４１は、４辺の外周枠を構成するＬ字形断面の鋼材４５ａ〜４５ｄとから構成される。鋼材４５ａ〜４５ｄには、複数のネジ孔４９が形成されている。鋼材４５ａ〜４５ｄはボルトで連結される。壁パネル部材４２としは、波形の形状の鋼板のパネル部材が用いられている。
【００３４】
上述のように、本考案の実施形態では、床パネル１、天井パネル２、壁パネル３ａ〜３ｄは、鋼材を使用して枠部材を構成し、この枠部材に金属板のパネル材を配設するように構成されている。このため、重量が重くならずに、頑丈な構造となる。
【００３５】
また、枠部材を構成する鋼材は、ボルトにより連結される。また、床パネル１と、天井パネル２、壁パネル３ａ〜３ｄは、ボルトにより連結される。このため、分解、組み立てが容易で、リサイクルが可能である。
【００３６】
本考案の実施形態では、壁パネル３ａ及び３ｃ、壁パネル３ｂ及び３ｄの外周枠を構成する鋼材３５ａ〜３５ｄ、鋼材４５ａ〜４５ｄとして、Ｌ字形断面の鋼材を使用している。また、床パネル１及び天井パネル２の外周枠を構成する鋼材１５ａ〜１５ｄ、鋼材２５ａ〜２５ｄとして、コ字形断面の鋼材を使用している。このような鋼材を使用しているので、床パネル１、天井パネル２、壁パネル３ａ〜３ｄを、ボルトにより容易に連結できる。
【００３７】
つまり、図９は、壁パネル３ａの鋼材３５ａと天井パネル２の鋼材２５ａとの連結部を説明するものである。図９に示すように、壁パネル３ａの鋼材３５ａには、複数のネジ孔３９が形成される。また、天井パネル２の鋼材２５ａには、複数のネジ孔２９が形成される。壁パネル３ａの鋼材３５ａのネジ孔３９と、天井パネル２の鋼材２５ａのネジ孔２９と連通してボルト６３挿通され、壁パネル３ａの鋼材３５ａと天井パネル２の鋼材２５ａとの間がボルト６３により固定される。鋼材３５ａはＬ字形断面の鋼材であるため、鋼材３５ａに壁パネル部材３２を装着した状態で、壁パネル３ａの鋼材３５ａと天井パネル２の鋼材２５ａとの間をボルト６３で連結できる。
【００３８】
以上説明したように、本考案の実施形態では、床パネル１、天井パネル２、壁パネル３ａ〜３ｄは、鋼材を使用して枠部材を構成し、この枠部材に金属板のパネル材を配設するように構成されているため、重量が重くならずに頑丈な構造となる。また、天井パネル２には、合成デッキプレートに使用されている波形のプレートの鋼板が使用され、壁パネル３ａ〜３ｄには、波形のキーストーンプレートの鋼板が使用されている。このため、軽量で、必要な強度が確保できる。さらに、床パネル１と、天井パネル２、壁パネル３ａ〜３ｄとは全て金属製であり、ボルトで固着する構造となっているため、分解、組み立てが容易であり、リサイクルが可能である。さらに、壁パネル３ａ及び３ｃ、壁パネル３ｂ及び３ｄの外周枠を構成する鋼材３５ａ〜３５ｄ、鋼材４５ａ〜４５ｄとして、Ｌ字形断面の鋼材を使用しているので、床パネル１と、天井パネル２、壁パネル３ａ〜３ｄとを、ボルトにより簡単に固定できる。
【００３９】
本考案は、上述した実施形態に限定されるものではなく、この考案の要旨を逸脱しない範囲内で様々な変形や応用が可能である。
【産業上の利用可能性】
【００４０】
本考案は、輸出用の組み立てコンテナの他、物品を格納するための簡易倉庫等として広く利用できる。
【図面の簡単な説明】
【００４１】
【図１】本考案の実施形態の組み立てコンテナの斜視図である。
【図２】本考案の実施形態の組み立てコンテナの平面図、正面図、及び側面図である。
【図３】本考案の実施形態の組み立てコンテナにおける床パネルの説明に用いる分解斜視図である。
【図４】本考案の実施形態の組み立てコンテナにおいて鋼材の結合の説明に用いる分解斜視図である。
【図５】本考案の実施形態の組み立てコンテナにおける天井パネルの説明に用いる分解斜視図である。
【図６】本考案の実施形態の組み立てコンテナにおける天井パネル部材の説明図である。
【図７】本考案の実施形態の組み立てコンテナにおける長片側の壁パネルの説明に用いる分解斜視図である。
【図８】本考案の実施形態の組み立てコンテナにおける短片側の壁パネルの説明に用いる分解斜視図である。
【図９】本考案の実施形態の組み立てコンテナにおける各パネル間の結合の説明に用いる分解斜視図である。
【符号の説明】
【００４２】
１ 床パネル
２ 天井パネル
３ａ〜３ｄ  壁パネル
１１  床枠部材
１２  床パネル部材
１５ａ〜１５ｄ  外周枠を構成する鋼材
１６ａ〜１６ｋ  格子状の床鋼材
１８  底鋼材
１９  ネジ孔
２１  天井枠部材
２２  天井パネル部材
２５ａ〜２５ｄ  外周枠を構成する鋼材
２６ａ〜２６ｃ  格子状の鋼材
２９  ネジ孔
３１  壁枠部材
３２  壁パネル部材
３４  ブレース
３５ａ〜３５ｄ  外周枠を構成する鋼材
３９  ネジ孔
４１  壁枠部材
４２  壁パネル部材
４５ａ〜４５ｄ  外周枠を構成する鋼材
４９  ネジ孔
５１  止め金部材金部材
６３  ボルト
【図１】
0003134779.tif 000003
【図２】
0003134779.tif 000004
【図３】
0003134779.tif 000005
【図４】
0003134779.tif 000006
【図５】
0003134779.tif 000007
【図６】
0003134779.tif 000008
【図７】
0003134779.tif 000009
【図８】
0003134779.tif 000010
【図９】
0003134779.tif 000011